(57)【要約】【課題】パチンコ機の遊技部品の部品数を減らすことにより、個々の部品の組立工数を減らすこと及び遊技部品の遊技盤への取付工程を減らすことである。【解決手段】パチンコ機１の立体視用合成画像シート４’の表面側に貼付して立体視用合成画像シート４’の画像を立体視可能とするレンチキュラー板５の成形時に、金型内に予めＰＭＭＡ樹脂で製作した前側球排出路５０５及びベース５０１入れておき、ベース５０１の背面にレンチキュラー板５を成形するＰＥＴ樹脂を付着固定させるアウトサート成形で一体的に成形するとともに、レンチキュラー板５の成形時にレンチキュラー板５の背面側にレンチキュラー板５を成形する材料であるＰＥＴ樹脂で上側ブラケット５０６、中央球排出路５０７、下側ブラケット５０８を一体成形した。【選択図】　　　　図２
2004136015.tif 000002
【特許請求の範囲】
【請求項１】
所定位置に遊技部品を嵌挿するための嵌挿孔を配置したベニヤ等の遊技基板に画像シートを配置し、画像シートに描かれた図柄を保護する透明合成樹脂板又は画像シートの図柄を立体視可能とするレンチキュラー板を配置する遊技機の遊技盤において、透明合成樹脂板又はレンチキュラー板の成形時に、該透明合成樹脂板又はレンチキュラー板の表面に前記遊技基板に設けた嵌挿孔を覆う遊技部品飾り板と、該遊技部品飾り板の表面側に配置される前飾り板を除いた前部遊技部品の一部と、遊技部品飾り板の裏面に連続して配置される後部遊技部品の一部を、該透明合成樹脂板又はレンチキュラー板と一体的に成形して配設するように構成したことを特徴とする遊技機の遊技盤。
【請求項２】
上記透明合成樹脂板またはレンチキュラー板成形時に、該透明合成樹脂板またはレンチキュラー板と一体的に配設される遊技部品飾り板、前部遊技部品の一部をインサート成形もしくはアウトサート成形によって配設するように構成したことを特徴とする請求項１記載の遊技機の遊技盤。
【請求項３】
上記前飾り板が前部遊技部品に着脱可能に構成されることを特徴する請求項１記載の遊技機の遊技盤。
【発明の詳細な説明】
【０００１】
【発明が属する技術分野】
本発明は、遊技機の遊技盤に関し、より詳しくはパチンコ機の遊技盤に配置される透明合成樹脂板又はレンチキュラー板に関する。
【０００２】
【従来の技術】
まず、第１種パチンコ機（以下、パチンコ機とのみ称する）１に配置される遊技盤２の製作について説明する。パチンコ機１においては、ベニヤ及び合成樹脂の遊技基板３に図柄を描いたシート（以下、図柄シートと称する）４を貼付し、該図柄シート４を保護するために透明の薄い合成樹脂シートを上に配設している。また、図柄シート４が立体視用のシート（以下、立体視用合成画像シートと称する）４’である場合には、立体視用合成画像シート４’の画像が立体視できるようにレンチキュラー板５のレンズピッチｐを合わせてレンチキュラー板５を配置している。
【０００３】
上記の図柄シート４、立体視用合成画像シート４’に合成樹脂シート、レンチキュラー板５等を貼付して乾燥させた後に、多軸ボール板でレール用の下穴等を開け、次いで、ＮＣルーター加工機により遊技領域６内の中央部に普通図柄表示装置７と特別図柄表示装置８が配置されるセンターケース９、その直下に一対の可動翼片１０ｄを配置した電動チューリップ（第１種パチンコ機では特別図柄表示装置の図柄を動かす始動口で、以下始動口とも称する）１０、始動口１０の左右側方にはチャッカー１１、入賞口１２がそれぞれ配置され、始動口１０の真下でアウト口１７の上部に両端部近傍の位置にそれぞれ入賞口１３ｂ、中央部に大入賞口１３ａを有するアタッカー１３が配置されるための孔（図示はしないが、以下ルーター孔とも称する）を開ける。そして、その後に釘打ち機で釘を打設し、内レール１５、外レール１６を取付け、普通図柄表示装置７、特別図柄表示装置８を装着したセンターケース９、入賞口１２、始動口１０、チャッカー１１、アタッカー１３、サイドランプ１４をルーター孔に嵌挿した後、これらを遊技盤２にネジ止めして取り付けている。なお、風車１８もこれら遊技部品の取付と同時に打設される。上記に記載したようにその製作に多くの工数を必要とする（例えば、特許文献１参照。）。
【０００４】
また、遊技盤２を構成する個々の遊技部品についても、その製作に多くの工数が必要である。始動口１０を例にとって説明する。始動口１０は取付板ユニット１０ａ、チューリップユニット１０ｂ、遊技球検知ユニット１０ｃの３つのユニットから構成される。第１の取付板ユニット１０ａは、始動口１０を遊技盤２に固定するため両端部に設けた貫通口である取付孔、中央やや下部に設けた貫通口である遊技球通過孔１０ｅと裏面側に該遊技球通過孔１０ｅに連続して設けた中央球排出路１０ｆと中央球排出路１０ｆの下方に遊技球検知ユニットを１０ｃ固定するためのブラケット１０ｇを配置し、更に中央球排出路１０ｆの上方に内部に回動部材１０ｈを軸支するブラケット１０ｇを配置した取付板１０ｊからなる。従って回動部材１０ｈをブラケット１０ｇ内に配置した後に回動部材１０ｈとブラケット１０ｇの孔に軸を挿入してＥリング（図示せず）で固定する。次いで、ソレノイド１０ｋのプランジャー１０ｍ先端の溝の中に回動部材１０ｈのピンを位置させ、ブラケット１０ｇに設けた孔とソレノイド１０ｋの取付孔を一致させネジでソレノイド１０ｋをブラケット１０ｇに固着する。その後に、後側球排出路１０ｎとセンサーホルダー１０ｐが一体となった第３ユニットの遊技球検知ユニット１０ｃを前記ブラケット１０ｇにネジで固着し、センサーホルダー１０ｐにセンサー１０ｓを嵌合する。そして、第２ユニットであるチューリップユニット１０ｂの左右一対の可動翼片１０ｄを回動自在に軸支した前飾り板１０ｑと前側球排出路１０ｒを取付板の前側にネジで固着している（例えば、特許文献２参照。）。
【０００５】
【非特許文献１】
バーチャルツアー工場見学にようこそ、［ｏｎｌｉｎｅ］、総合エンタテイメント企業サミー、会社情報、［平成１４年９月３０日検索］、インターネット＜ＵＲＬ：ｈｔｔｐ：／／ｉｒ．ｓａｍｍｙ．ｃｏ．ｊｐ／ｃｏｒｐｏｒａｔｅ／ｖｉｒｔｕａｌ／ｉｎｄｅｘ．ｈｔｍｌ＞
【特許文献２】
登録実用新案公報第３０６１６３４号（第３頁、図２）
【０００６】
【発明が解決しようとする課題】
本発明の課題は上記不具合に鑑み、遊技部品前部分及び遊技基板に遊技部品を取り付けるために設けた嵌挿孔内に位置し、遊技部品飾り板、遊技部品前部分に連続して配置される遊技備品後部を該透明合成樹脂板又はレンチキュラー板成形時に一体的に配設して、個々の遊技部品の製作工数を減らし、遊技盤への遊技部品の取付作業をなくすことである。
【０００７】
【課題を解決するための手段】
上記課題を解決するために本発明の採用した手段を以下に説明する。本発明請求項１記載の遊技機の遊技盤は、「所定位置に遊技部品を嵌挿するための嵌挿孔を配置したベニヤ等の遊技基板に画像シートを配置し、画像シートに描かれた図柄を保護する透明合成樹脂板又は画像シートの図柄を立体視可能とするレンチキュラー板を配置する遊技機の遊技盤において、透明合成樹脂板又はレンチキュラー板の成形時に、該透明合成樹脂板又はレンチキュラー板の表面に前記遊技基板に設けた嵌挿孔を覆う遊技部品飾り板と、該遊技部品飾り板の表面側に配置される前飾り板を除いた前部遊技部品の一部と、遊技部品飾り板の裏面に連続して配置される後部遊技部品の一部を、該透明合成樹脂板又はレンチキュラー板と一体的に成形して配設するように構成したことを特徴とする遊技機の遊技盤」である。
【０００８】
「遊技部品飾り板」とは、従来の技術の項目で述べた遊技部品を遊技盤に取り付けるための取付板と同じ形状をした板で、透明合成樹脂板又はレンチキュラー板と一体成形されるため、遊技部品を遊技盤に取り付けるためのものではなく、遊技基板に設けた嵌挿孔を覆い、画像シートから遊技部品を区別して視認するための飾り板である。「前飾り板を除いた前部遊技部品」とは、従来の項目で記述した、始動口の前側球排出路に相当するもので、「後部遊技部品」とは、従来の項目で記述した中央球排出路及び該中央球排出路の上下に配置されるブラケットに相当するものである。次に「透明合成樹脂板又はレンチキュラー板と一体的に成形して配設する」とは、上記した複数の部品を透明合成樹脂板又はレンチキュラー板と連続して成形してしまうことで、複数の部品の組付けをする必要がなくなることである。
【０００９】
本発明請求項２記載の遊技機の遊技盤は、「透明合成樹脂板またはレンチキュラー板成形時に、該透明合成樹脂板またはレンチキュラー板と一体的に配設される遊技部品飾り板、前部遊技部品の一部をインサート成形もしくはアウトサート成形によって配設するように構成したことを特徴とする請求項１記載の遊技機の遊技盤」である。
【００１０】
「インサート成形」とは、金型内にインサート品である遊技部品飾り板、前部遊技部品、後部遊技部品（いずれも、ＰＭＭＡ）を充填した後、レンチキュラー板を成型するＰＥＴ樹脂で包んで硬化させ、一体化する成形方法である。また、「アウトサート成形」とは、レンチキュラー板を成型するＰＥＴ樹脂を金型内にインサート品である遊技部品飾り板、前部遊技部品、後部遊技部品（いずれも、ＰＭＭＡ）の一部に付着固定させて一体化する成形方法である。遊技部品の個々の箇所によって強度の異なる樹脂を選択できるために部品の破損が減少する。
【００１１】
本発明請求項３記載の遊技機の遊技盤は、「上記前飾り板が前部遊技部品に着脱可能に構成されることを特徴する請求項１記載の遊技機の遊技盤」である。
【００１２】
「前飾り板が前部遊技部品に着脱可能」とは、前飾り板は透明合成樹脂板又はレンチキュラー板と一体成形によって作成されずに別途に作成され、前部遊技部品に設けられた嵌合溝に前飾り板が嵌合したり、前飾り板に嵌合片を設けて前部遊技部品の嵌合孔に嵌合し、前飾り板が前部遊技部品に対して取り外し可能であることをいう。機種モデルチェンジの場合には、前飾り板に貼付する図柄シートを変更したり、形状を変更するのみで以前とは異なった遊技部品を提供することができる。
【００１３】
【発明の実施の形態】
以下、本発明の遊技機の遊技盤を始動口に採用した図１から図４を参考に詳細に説明する。なお、従来の項で説明した部品を使用する場合は、従来の項目で使用した符号と同じ符号を使用する。また、機台前方側を「表面側」、機台後方側を「背面側」と称して説明する。図１は本発明の遊技盤の平面図、図２はレンチキュラー板表面側からの分解斜視図、図３はレンチキュラー板の背面図、図４はレンチキュラー板背面側ブラケットに取り付ける部品の分解斜視図である。
【００１４】
図中において３は遊技基板であり、４’は立体用合成画像シートである。遊技基板３には始動口１０の背面側部品を入れるための嵌挿孔３ａが設けられ、同様に立体視用合成画像シート４’にも始動口１０の背面側部品を入れるための嵌挿孔４’ａが設けられる。遊技基板３に立体視用合成画像シート４’を貼付すると、嵌挿孔１９が形成される。そして、レンチキュラー板５のレンズピッチｐを合わせて立体視用合成画像シート４’上に貼付する。
【００１５】
本発明のレンチキュラー板５は、立体視用合成画像シート４’の画像を遊技者に立体視可能とするほか、該レンチキュラー板５は表面側と背面側にそれぞれ一体成形した遊技部品の一部を有する。即ち、レンチキュラー板５を成形時に、金型（図示せず）内にＰＭＭＡ樹脂で予め一体成形した始動口１０の前部遊技部品の一部である前側球排出路５０５とベース５０１をセットし、金型内にレンチキュラー板５を成形するＰＥＴ樹脂を注入して、前側球排出路５０５の背面全域にＰＥＴ樹脂を付着固定させる。また、金型はレンチキュラー板５の背面側に回転部材１０ｈ及びソレノイド１０ｋを配置する上側ブラケット５０６、中央球排出路５０７とセンサーホルダー１０ｐを固着するための下側ブラケット５０８が成形可能に加工されており、上記レンチキュラー板５の背面側に位置する始動口１０の各部品はＰＥＴ樹脂でレンチキュラー板５とともに成形される（アウトサート成形）。前記ベース５０１に成形時にＬＥＤランプの配置孔５０２、可動翼片１０ｄに配置される軸１０ｄ’が移動する貫通孔５０３、前飾り板１０ｑが支持される貫通孔５０４等複数の貫通孔が同時に成形される。上記は、前側排出路５０５及びベース５０１はアウトサート成形で製作したが、これらを金型に入れＰＥＴ樹脂で全てを覆って一体化するインサート成形で製作してもよい。
【００１６】
上記のような構成のレンチキュラー板５を立体視用合成画像シート４’に貼付すると、レンチキュラー板５を貼付しただけで始動口１０前部遊技部品の一部であるベース５０１、前側球排出路５０５と後部遊技部品の一部である、上側ブラケット５０６、中央球排出路５０７、下側ブラケット５０８が遊技盤に形成されてしまうので、前飾り板１０ｑに配置される軸１０ｑ’を左右可動翼片１０ｄに設けた貫通孔１０ｄ”を貫通させ、ベース５０１の貫通孔５０４内に挿入して支持する。前記軸１０ｑ’を貫通孔１０ｄ”に挿入すると、左右の可動翼片１０ｄにそれぞれ固着された軸１０ｄ’はベース５０１に設けた貫通孔５０３を貫通しレンチキュラー板５の背面側に位置する。前飾り板１０ｑは、ボス１０ｑ”をベース５０１に設けた孔５０９内に嵌挿して背面側から図示しないネジで固定する。
【００１７】
レンチキュラー板５の背面側に設けた下ブラケット５０８に後側球排出路１０ｎ及びセンサー１０ｓが嵌合固定されたセンサーホルダー１０ｐを図示しないネジ固着する。次いで、レンチキュラー板５の背面側左右に配置される上側ブラケット５０６内に回動部材１０ｈを回動自在に配置し、回動部材１０ｈの図示しない溝にプランジャー１０ｍの先端部を係合させ、上側ブラケット５０６の後端部にソレノイド１０ｋを図示しないネジで固定する。上記で従来の始動口１０と同じ構成の始動口１０が遊技盤に配置される。
【００１８】
【発明の効果】
本発明によれば、図柄シート、立体視用合成画像シートの表面側に配置される透明合成樹脂板、レンチキュラー板の成形時に遊技部品の一部を同時に成形するので、個々の遊技部品の組立工程数を減らすことができる。また、部品点数が減ったことにより部品管理工数を減らすこができる。また、透明合成樹脂板、レンチキュラー板の成形時に遊技部品の一部を形成するのに、インサート成形、アウトサーと成形の成形法を用いるので、遊技球が落下して強度を必要とする部分については、透明合成樹脂板、レンチキュラー板の成形材料と異ならせることができ、遊技部品の破損を少なくすることができる。
【図面の簡単な説明】
【図１】本発明の遊技盤の平面図である。
【図２】本発明の遊技盤の分解斜視図である。
【図３】本発明のレンチキュラー板の背面図である。
【図４】本発明のレンチキュラー板背面側に設けた遊技部品に固着する部品の分解斜視図である。
【図５】パチンコ機の正面図である。
【図６】従来の始動口の側面図である。
【図７】従来の始動口の斜視図である。
【図８】従来のレンチキュラー板の構成を示した斜視図である。
【図９】レンチキュラー板の構成図である。
【符号の説明】
１；第１種パチンコ機、２；遊技盤、３；遊技基板、３ａ；嵌挿孔、４；図柄シート、４’；立体視用合成画像シート、４’ａ；嵌挿孔、５；レンチキュラー板、５０１；ベース、５０２；配置孔、５０３；貫通孔、５０４；貫通孔、５０５；前側球排出路、５０６；上側ブラケット、５０７；中央球排出路、５０８；下側ブラケット、５０９；孔、６；遊技領域、７；普通図柄表示装置、８；特別図柄表示装置、９；センターケース、１０；始動口、１０ａ；取付板ユニット、１０ｂ；チューリップユニット、１０ｃ；遊技球検知ユニット、１０ｄ；可動翼片、１０ｄ’；軸、１０ｄ”；貫通孔、１０ｅ；遊技球通過孔、１０ｆ；中央球排出路、１０ｇ；ブラケット、１０ｈ；回動部材、１０ｊ；取付板、１０ｋ；ソレノイド、１０ｍ；プランジャー、１０ｎ；後側球排出路、１０ｐ；センサーホルダー、１０ｑ；前飾り板、１０ｑ”；ボス、１０ｒ；前側球排出路、１０ｓ；センサー、１１；チャッカー、１２；入賞口、１３；アタッカー、１３ａ；大入賞口、１３ｂ；入賞口、１４；サイドランプ、１５；内レール、１６；外レール、１７；アウト口、１８；風車、１９；嵌挿孔。
【図１】
2004136015.tif 000003
【図２】
2004136015.tif 000004
【図３】
2004136015.tif 000005
【図４】
2004136015.tif 000006
【図５】
2004136015.tif 000007
【図６】
2004136015.tif 000008
【図７】
2004136015.tif 000009
【図８】
2004136015.tif 000010
【図９】
2004136015.tif 000011